(57)【特許請求の範囲】
【請求項１】
魚釣りに用いる玉網の柄であって、
前記柄は順次手元側の筒状体に収納可能に振出形式に連結された複数の先細り筒状体からなる柄部を備えており、
前記複数の筒状体の中で最も手元側に位置する手元筒状体は、筒状の本体部と、前記本体部の周面に軸方向に移動自在に配置されるスライドパイプと、前記本体部の先端側端部外周に設けられ前記スライドパイプの先端側が前記本体部の先端側へ飛び出すのを防止する第１抜け止め手段と、前記本体部の手元側端部外周に設けられ前記スライドパイプの先端側が前記本体部の後端側へ飛び出すのを防止する第２抜け止め手段とを有している、玉網の柄。
【請求項２】
前記手元筒状体はその本体部の軸方向中央付近の外周面に他の部分より外径が大径化した肉盛部分を有し、前記スライドパイプは前記肉盛部分に仮止めされる、請求項１に記載の玉網の柄。
【発明の詳細な説明】
【０００１】
【発明の属する技術分野】
本発明は魚釣りに用いる玉網、特に、玉網の柄に関する。
【０００２】
【従来の技術】
魚釣りを行う際に、釣竿の仕掛けに係った魚を引き上げるために玉網が用いられる。玉網は、環状の枠部と、枠部に固定される袋状の網部と、枠部に連結された玉網の柄とを有している。この玉網の柄は、複数の先細りテーパの施された筒状体を順次振出形式に連結してなる柄部を有するものであり、順次手元側の筒状体内に穂先側の筒状体が収納可能となっている。
【０００３】
このような玉網は、収納時は玉網の柄の柄部の筒状体を順次手元側に収納したコンパクトな状態としておく。そして、釣竿の仕掛けにかかった魚を釣り上げる際に、網側を水面に向かって差し出し、順次の筒状体を引き出して長い一本の柄部として先端の網部に魚をすくい入れる。そして、逆に順次手元側の筒状体に先端側の筒状体を収納しながら魚が入った網部を手元側にたぐり寄せて、魚を取り込むのである。
【０００４】
【発明が解決しようとする課題】
上述のように、釣人は一方の手で釣竿を取扱ながら他方の手で玉網を取り扱って魚を取り込む。即ち、片手で玉網操作を行う必要がある。このため、釣人は、例えば、玉網の柄部を脇に挟みながら上述のような筒状体のたぐり寄せ作業等をも行うことになる。しかし、軸方向長さの長い個々の筒状体を複数連結してなる柄部において、このような操作を脇に挟みながら片手で行うのは煩雑であり、操作性の向上が求められる。
【０００５】
一方で、玉網は長く伸ばした釣竿の先端側にある仕掛けに係った魚を取り込むものであるから、柄部はできるだけ長く伸ばした状態で用いるのが好ましい。しかし、柄部の長さを長くすれば収納操作の煩雑性が増すことにもなる。
本発明の課題は、使用時には柄部を長く伸ばして用いることができ、一方で、魚の取り入れの際の柄部の収納操作は容易に為し得る、操作性に優れる玉網の柄を提供することにある。
【０００６】
【課題を解決するための手段】
発明１の玉網の柄は、魚釣りに用いる玉網であって、前記柄は順次手元側の筒状体に収納可能に振出形式に連結された複数の先細り筒状体からなる柄部を備えている。この複数の筒状体の中で最も手元側に位置する手元筒状体は、筒状の本体部と、本体部の周面に軸方向に移動自在に配置されるスライドパイプと、本体部の先端側端部外周に設けられスライドパイプの先端側が本体部の先端側へ飛び出すのを防止する第１抜け止め手段と、本体部の手元側端部外周に設けられスライドパイプの先端側が本体部の後端側へ飛び出すのを防止する第２抜け止め手段とを有している。
【０００７】
この玉網の柄は、その先端側の筒状体の先端側端部に網枠を連結して用いるものである。収納時においては、柄部を構成する複数の筒状体は順次手元側の筒状体の内部に収納されてコンパクトな状態とされている。一方、この玉網の柄の柄部は、使用時においては各筒状体を順次先端側に振出形式に引き出して一本の長い柄部とし、且つ、スライドパイプを第２抜け止め手段で規制されるまで手元筒状体の周面上で手元側にスライド移動させて使用する。この状態では、各筒状体が引き出されて長い一本の柄部となった上にスライドパイプも手元側に引き出されており、釣人は手元側に引き出したスライドパイプを脇に挟みながら遠方の魚も先端の網枠部の網に収納できる。
【０００８】
魚を網枠部の網に収納した後には、スライドパイプを脇に挟んだまま柄部の手元筒状体を手元側に引き寄せ、第１抜け止め手段でスライドパイプの移動が規制されるまで、スライドパイプに対して手元筒状体を相対的に手元側に移動させる。こうして、スライドパイプを脇に挟んだまま片手で手元筒状体を手元側に引き寄せることができ、その後、順次先端側に連結されている筒状体を手元側の筒状体内に収納し、網枠部を片手でたぐり寄せる。
【０００９】
発明２の玉網の柄は、発明１の柄であって、手元筒状体の本体部は軸方向中央付近の外周面に他の部分より外径が大径化した肉盛部分を有し、スライドパイプは肉盛部分に仮止めされる。
この玉網の柄では、釣りを終えて玉網を収納する際に、手元筒状体の本体部の肉盛部にスライドパイプを仮止めしておく。使用時には、スライドパイプは仮止め用の肉盛部を軸方向に乗り越えて、第１抜け止め手段又は第２抜け止め手段によって抜け止めされるまで、軸方向に手元筒状体の周面を移動する。
【００１０】
【発明の実施の形態】
本発明の一実施形態について図面を参照しつつ説明する。
本発明の一実施形態を採用した玉網は、図１〜３に示すように、環状の枠に網が取り付けられた網枠部１と、網枠部１に連結される玉網の柄からなる。この玉網の柄は複数の筒状体からなる柄部２と連結部３とを有している。
【００１１】
網枠部１は、ステンレス合金やチタン合金等からなる金属製部材を環状に折り曲げて形成した枠部分を、ナイロン繊維等からなる糸を網目状の編み込んでなる略円筒型の網の開口縁に通して、枠と網とを組み合わせたものである。また、枠部分は環状の外周面に形成され外周方向に開口した溝部を有し、網の開口縁が係止されている金属製またはナイロン製の芯線がこの溝部に嵌入され締め付けられることで、網が枠部分に固定されている。またこの枠部分の一部に雄ねじ等が形成され、後述の連結部３に連結されることになる。
【００１２】
この連結部３は枠部２の最も先端側に位置する筒状体（後述の第１筒状体１１）の先端側端部が挿入された状態で固定される部材であり、例えば、ウレタンゴム等のゴム製素材から構成される。そして、網枠部１の枠の一部に設けられる雄ねじ部が螺合するねじ穴が先端側に形成される。このねじ穴を形成する部分については、別途硬質合成樹脂等で成型し、その周りをゴム材から成形することもできる。
【００１３】
柄部２は、その仕様によって連結する本数は異なるものではあるが、例えば、４つの筒状体（第１筒状体１１〜第４筒状体１４）を順次連結してなる部分である。柄部２の最も手元側に位置する太径の第４筒状体１４の手元側端部には底栓４が脱着自在に装着されている。各筒状体１１〜１４は、それぞれ炭素繊維等の強化繊維に合成樹脂を含浸させた繊維強化樹脂を芯材に巻回して焼成して製造する先細り筒状部材である。これらはいわゆる振出形式で連結されており、順次手元側の筒状体内に収納可能である。即ち、これらの第１筒状体１１〜第３筒状体１３の竿元側端部外周面はそれぞれ嵌合雄部となっており、順次各筒状体を引きだして引き延ばした際に、順次竿元側の筒状体の穂先側端部内周面に嵌合される。このような各筒状体１１〜１４の外径の先細りテーパは一定のテーパ率に設定されており、各筒状体１１〜１４の外径は順次先端側ほど小径化している。
【００１４】
この柄部２を構成する筒状体の中で最も手元側に位置する第４筒状体１４は、筒状の本体部２１と、本体部２１の周面に軸方向に移動自在に配置されるスライドパイプ２２と、本体部２１の先端側端部外周に固定された金属リング２３と、本体部２１の手元側端部外周に設けられ他の部分より外径が大径に設定されている第１大径部分２４と、本体部２１の軸方向中央付近の外周面に他の部分より外径が大径化するように形成された第２大径部分２５とを有している。
【００１５】
本体部２１は第４筒状体１４の筒状部分であり、上述のように繊維強化樹脂ならなる先細り部材である。手元側端部内周面にはねじ溝が加工されここに底栓４が脱着自在に装着されている。
スライドパイプ２２は、本体部２１と同様に繊維強化樹脂若しくはステンレスなどの金属からなる筒状の部材であり、先端側ほど小径化するテーパ付き部材である。本体部２１の外径よりその内径が大きく設定されており、本体部２１の周面上を軸方向にスライド移動する。このスライドパイプ２２の軸方向長さは任意に設定可能であるが、釣人が脇に挟む込むために十分な長さを有するように設定し、凡そ本体部２１の長手方向長さの１／３〜１／２程度の長さとするのがよい。このスライドパイプ２２は本体部２１の先端側から本体部２１の外周に配置される。
【００１６】
図４に詳しく示すように、金属リング２３は本体部２１の先端側端部周面に接着剤等で固定されるリング部材である。上述のスライドパイプ２２を本体部２１の周面に配置した後に本体部２１の周面に固定される。その外径はスライドパイプ２２の径より大きく、スライドパイプ２２が本体部２１上から先端側に飛び出すのを抑えている。
【００１７】
図５に示すように、第１大径部分２４は、本体部２１の手元側端部に他の部分よりひとまわり大径に形成された部分であり、その外径は上述のスライドパイプ２２の先端側内径（即ち、スライドパイプ２２の最小内径）よりやや大きくなるように設定されている。例えば、炭素繊維強化樹脂をシート状に加工したプリプレグ素材から第４筒状体１４を成形する際には、手元側端部に他の部分に加えて別途プリプレグ素材をさらに巻回して肉厚且つ大径に成形する方法等によって、この第１大径部分２４を形成可能である。そして、スライドパイプ２２が本体部２１の手元側にまでスライド移動した際に、スライドパイプ２２の先端側が手元側に飛び出すのを抑えている。
【００１８】
図６に示すように、第２大径部分２５は、本体部２１の長手方向中央付近において一定の軸方向範囲をもって他の部分よりひとまわり大径に形成される部分である。その外径は上述のスライドパイプ２２の先端側内径に合致するように設定される。この第２大径部分２５も上述の第１大径部分２４と同様にして形成可能である。そして、スライドパイプ２２の先端側がここに合致した際にスライドパイプ２２の軸方向移動が仮止めされる。勢いよくスライドパイプ２２を軸方向に移動させれば、スライドパイプ２２は第２大径部分２５を乗り越えて軸方向に本体部２１の周面を移動する。
【００１９】
この玉網は、収納時においては、柄部２を構成する複数の筒状体は第１筒状体１１から順次手元側の第４筒状体の内部へ収納されてコンパクトな状態とされている。この際、スライドパイプ２２を第２大径部分２５に仮止めしておくことも可能である。
一方、使用時においては、第１筒状体１１から順次先端側に振出形式に引き出して一本の長い柄部２とし、且つ、スライドパイプ２２を第４筒状体１４の周面上で手元側にスライド移動させて使用する。この状態では、各筒状体が引き出されて長い一本の柄部２となった上にスライドパイプ２２も手元側に引き出されており、釣人は手元側に引き出したスライドパイプ２２を脇に挟みながら、他方の手で釣竿を操作し、釣竿の先端側の仕掛けにかかった魚も先端の網枠部１の網に収納できる（図７（ａ）参照）。
【００２０】
魚を網枠部１の網に収納した後には、釣人はスライドパイプ２２を脇に挟んだまま、片手で柄部２の第４筒状体１４を手元側に引き寄せ、金属リング２３でスライドパイプ２２の移動が規制されるまで、スライドパイプ２２に対して第４筒状体１４を相対的に手元側に移動させる（図７（ｂ）参照）。この際、スライドパイプ２２は仮止め用の第２大径部分２５を軸方向に乗り越えて、軸方向に第４筒状体１４の周面を移動する。こうして、スライドパイプ２２を脇に挟んだまま片手で第４筒状体１４を手元側に引き寄せることができ、その後、順次先端側に連結されている第３筒状体１３〜第１筒状体１１を手元側の筒状体内に収納し、網枠部１を片手でたぐり寄せる。
【００２１】
以上のようにスライドパイプ２２を脇に挟みながら操作することで、釣人は片手でも容易に玉網の柄の柄部２の操作が可能となる。
［他の実施形態］
（ａ）抜け止め手段は上記実施形態のような金属パイプや第１大径部分に限定されるものではない。
（ｂ）スライドパイプに関しても、様々な工夫を加えることが可能である。例えば、脇に挟み込んだ際の滑り止めとして、スライドパイプの周面に凹凸を形成したり、スライドパイプの外径に変化を付けて、軸方向中央付近を外径を小径に軸方向両端側外径を大径にしてもよい。
【００２２】
【発明の効果】
本発明の係る玉網の柄によれば、使用時には柄部を長く伸ばして用いることができ、一方で、魚の取り入れの際の柄部の収納操作も容易であり操作性が向上する。
【図面の簡単な説明】
【図１】本発明の一実施形態を採用した玉網の全体図（仮止状態）。
【図２】本発明の一実施形態を採用した玉網の全体図（収納状態）。
【図３】本発明の一実施形態を採用した玉網の全体図（延伸状態）。
【図４】図２におけるスライドパイプ２２の先端側を示した図。
【図５】図３におけるスライドパイプ２２の先端側を示した図。
【図６】図１におけるスライドパイプ２２の先端側を示した図。
【図７】本発明の一実施形態を採用した玉網で（ａ）魚を取り入れる操作の状態、（ｂ）柄部を順次収納する操作の状態を示した図。
【符号の説明】
１  網枠図
２  柄部
１１〜１４  第１〜第４筒状体
２１  本体部
２２  スライドパイプ
２３  金属リング
２４  第１大径部分
２５  第２大径部分
【図１】
0003784744.tif 000002
【図２】
0003784744.tif 000003
【図３】
0003784744.tif 000004
【図４】
0003784744.tif 000005
【図５】
0003784744.tif 000006
【図６】
0003784744.tif 000007
【図７】
0003784744.tif 000008